(57)【要約】【課題】無線通信システムにおいて並列のＰＵＣＣＨ及びＰＵＳＣＨ送信又は複数のアップリンクコンポーネントキャリアにより構成される通信装置に対してパワーヘッドルーム報告（ＰＨＲ）を実行する方法について開示している。【解決方法】この方法は、ＰＨＲがトリガされるときに、通信装置、少なくともアップリンクコンポーネントキャリア、及び通信装置に対して構成された少なくとも電力増幅器の少なくとも一のパワーヘッドルーム情報を無線通信システムのネットワークに報告するステップを有する。【選択図】図５
2012080540.tif 000002
【特許請求の範囲】
【請求項１】
無線通信システムにおいて並列のＰＵＣＣＨ及びＰＵＳＣＨ送信又は複数のアップリンクコンポーネントキャリアにより構成される通信装置に対してパワーヘッドルーム報告（ＰＨＲ）を実行する方法であって：
前記ＰＨＲがトリガされるときに、前記通信装置、少なくともアップリンクコンポーネントキャリア、及び前記通信装置に対して構成された少なくとも電力増幅器の少なくとも一のパワーヘッドルーム情報を前記無線通信システムのネットワークに報告するステップ；
を有する方法。
【請求項２】
請求項１に記載の方法であって、前記通信装置、少なくともアップリンクコンポーネントキャリア、及び前記通信装置に対して構成された少なくとも電力増幅器の少なくとも一のパワーヘッドルーム情報を前記無線通信システムのネットワークに報告するステップは：
前記通信装置の前記パワーヘッドルーム情報、前記アップリンクコンポーネントキャリアの前記パワーヘッドルーム情報、及び前記電力増幅器のパワーヘッドルーム情報の少なくとも一を有する媒体アクセス制御プロトコルデータユニット（ＭＡＣ  ＰＤＵ）を生成するステップ；並びに
前記ＰＨＲについての前記ネットワークに前記ＭＡＣ  ＰＤＵを送信するステップ；
を有する、方法。
【請求項３】
請求項２に記載の方法であって、前記ＭＡＣ  ＰＤＵは、前記アップリンクコンポーネントキャリアと前記電力増幅器との間のマッピング情報、前記電力増幅器の前記パワーヘッドルーム情報についての電力増幅器識別、前記アップリンクコンポーネントキャリアの前記パワーヘッドルーム情報についてのコンポーネントキャリア識別、並びに前記電力増幅器、前記コンポーネントキャリア及び／又は前記通信装置の前記パワーヘッドルーム情報の欠如を示すビットマップ、前記電力増幅器、前記アップリンクコンポーネントキャリア及び／又は前記通信装置についての仮想パワーヘッドルーム情報、並びに前記仮想パワーヘッドルーム情報が使用されるかどうかを示すインジケータの少なくとも一を更に有する、方法。
【請求項４】
請求項１に記載の方法であって：
コンポーネントキャリア構成についての第１メッセージにより前記アップリンクコンポーネントキャリアと前記電力増幅器との間のマッピング情報を前記ネットワークから受信するステップ；又は
コンポーネントキャリア構成の終了についての第２メッセージにより前記マッピング情報を前記ネットワークに送信するステップ；
を更に有する、方法。
【請求項５】
請求項２に記載の方法であって、前記電力増幅器、アップリンクコンポーネントキャリア又は通信装置の前記パワーヘッドルーム情報が、セルのために構成された送信電力、最大電力増幅器出力電力、最大電力減少（ＭＰＲ）、追加的最大電力減少（ＡＭＰＲ）、前記複数のアップリンクコンポーネントキャリアに関する送信電力、前記通信装置の最大出力電力、前記ＭＡＣレイヤより高次のプロトコルレイヤによりシグナリングされた前記通信装置の最大許容出力電力、前記電力増幅器に対してマッピングされた前記アップリンクコンポーネントキャリアの数、チャネル帯域幅、前記アップリンクコンポーネントキャリアの数、ＰＵＣＣＨについての送信電力、ＰＵＳＣＨについての送信電力、前記電力増幅器の前記パワーヘッドルーム情報、及び他のアップリンクコンポーネントキャリアのパワーヘッドルーム情報の少なくとも一に従って確立された値を有する、方法。
【請求項６】
請求項１に記載の方法であって、前記ＰＨＲは、前記ＰＨＲ機能の構成又は非構成、前記ＰＨＲについての第１タイマーの使用期限、アップリンクコンポーネントキャリアのアクティベーション、非アクティベーション、構成又は非構成、前記電力増幅器の第２タイマーの使用期限、並びに／若しくは前記通信装置についての第２タイマーの使用期限に従ってトリガされる、方法。
【請求項７】
請求項１に記載の方法であって、前記ＰＨＲがトリガされるときに、前記通信装置、少なくともアップリンクコンポーネントキャリア、及び前記通信装置に対して構成された少なくとも電力増幅器の少なくとも一のパワーヘッドルーム情報を前記無線通信システムのネットワークに報告するステップは：
前記ＰＨＲがトリガされるときに、少なくとも媒体アクセス制御要素（ＭＡＣ  ＣＥ）により前記ネットワークに前記パワーヘッドルーム情報を報告するステップであって、複数のＭＡＣ  ＣＥは複数の異なるフォーマットを同様に有し、前記通信装置が用いる必要があるフォーマットは前記ネットワークにより明示的に知らされる、ステップ；
を有する、方法。
【請求項８】
無線通信システムにおいて並列のＰＵＣＣＨ及びＰＵＳＣＨ送信又は複数のアップリンクコンポーネントキャリアにより構成される通信装置に対してパワーヘッドルーム報告（ＰＨＲ）を実行する方法であって：
少なくともアップリンクコンポーネントキャリアについて前記通信装置に対して構成された電力増幅器のパワーヘッドルーム制限及び／又は前記ＵＥの電力制限により前記少なくともアップリンクコンポーネントキャリアに対してパワーヘッドルーム情報を報告するステップ；
を有する方法。
【請求項９】
請求項８に記載の方法であって、少なくともアップリンクコンポーネントキャリアについて前記通信装置に対して構成された電力増幅器の前記パワーヘッドルーム制限により前記少なくともアップリンクコンポーネントキャリアに対してパワーヘッドルーム情報を報告するステップは：
前記パワーヘッドルーム制限及び前記アップリンクコンポーネントキャリアの優先度又は前記アップリンクコンポーネントキャリアについての所定の重みにより前記アップリンクコンポーネントキャリアに対して前記パワーヘッドルーム情報を報告するステップ；
を有する、方法。
【請求項１０】
無線通信システムにおいてネットワークについてのパワーヘッドルーム報告を処理する方法であって：
前記無線通信システムの通信装置に対して並列のＰＵＣＣＨ及びＰＵＳＣＨ送信又は複数のアップリンクコンポーネントキャリアを構成するステップ；並びに
前記通信装置から受信された、前記通信装置に対して構成された少なくとも電力増幅器、前記通信装置、及び少なくともアップリンクコンポーネントキャリアの少なくとも一の前記パワーヘッドルーム報告に従って、少なくともアップリンクコンポーネントキャリアに対して電力制御を実行するステップ；
を有する方法。
【請求項１１】
請求項１０に記載の方法であって：
前記通信装置に対して、コンポーネントキャリア構成についてのメッセージにより前記電力増幅器と前記アップリンクコンポーネントキャリアとの間でマッピング情報を送信するステップ；
を更に有する、方法。
【請求項１２】
パワーヘッドルーム報告（ＰＨＲ）を実行する無線通信システムの通信装置であって、当該通信装置は、複数のアップリンクコンポーネントキャリア又は並列のＰＵＣＣＨ及びＰＵＳＣＨ送信により構成される、通信装置であり：
前記無線通信システムのネットワークに対して信号を受信する及び／又は送信する手段；並びに
前記ＰＨＲがトリガされるときに、前記ネットワークに対して、前記通信装置、少なくともアップリンクコンポーネントキャリア、前記通信装置に対して構成された少なくとも電力増幅器の少なくとも一のパワーヘッドルーム情報を報告する手段；
を有する通信装置。
【請求項１３】
請求項１２に記載の通信装置であって、前記ネットワークに対して、前記通信装置、前記少なくともアップリンクコンポーネントキャリア、前記通信装置に対して構成された前記少なくとも電力増幅器の少なくとも一の前記パワーヘッドルーム情報を報告する手段は：
前記通信装置の前記パワーヘッドルーム情報、前記アップリンクコンポーネントキャリアの前記パワーヘッドルーム情報、及び前記電力増幅器の前記パワーヘッドルーム情報の少なくとも一を有する媒体アクセス制御プロトコルデータユニット（ＭＡＣ  ＰＤＵ）を生成する手段；並びに
前記ＰＨＲについて前記ネットワークに前記ＭＡＣ  ＰＤＵを送信する手段；
を有する、通信装置。
【請求項１４】
請求項１３に記載の通信装置であって、前記ＭＡＣ  ＰＤＵは、前記アップリンクコンポーネントキャリアと前記電力増幅器との間のマッピング情報、前記電力増幅器の前記パワーヘッドルーム情報についての電力増幅器識別、前記アップリンクコンポーネントキャリアの前記パワーヘッドルーム情報についてのコンポーネントキャリア識別、並びに前記電力増幅器、前記コンポーネントキャリア及び／又は前記通信装置の前記パワーヘッドルーム情報の欠如を示すビットマップ、前記電力増幅器、前記アップリンクコンポーネントキャリア及び／又は前記通信装置についての仮想パワーヘッドルーム情報、並びに前記仮想パワーヘッドルーム情報が使用されるかどうかを示すインジケータの少なくとも一を更に有する、通信装置。
【請求項１５】
請求項１２に記載の通信装置であって：
コンポーネントキャリア構成についての第１メッセージにより前記アップリンクコンポーネントキャリアと前記電力増幅器との間のマッピング情報を前記ネットワークから受信する手段；又は
コンポーネントキャリア構成の終了についての第２メッセージにより前記マッピング情報を前記ネットワークに送信する手段；
を更に有する、通信装置。
【請求項１６】
請求項１３に記載の通信装置であって、前記電力増幅器、アップリンクコンポーネントキャリア又は通信装置の前記パワーヘッドルーム情報が、セルのために構成された送信電力、最大電力増幅器出力電力、最大電力減少（ＭＰＲ）、追加的最大電力減少（ＡＭＰＲ）、前記複数のアップリンクコンポーネントキャリアに関する送信電力、前記通信装置の最大出力電力、前記ＭＡＣレイヤより高次のプロトコルレイヤによりシグナリングされた前記通信装置の最大許容出力電力、前記電力増幅器に対してマッピングされた前記アップリンクコンポーネントキャリアの数、チャネル帯域幅、前記アップリンクコンポーネントキャリアの数、ＰＵＣＣＨについての送信電力、ＰＵＳＣＨについての送信電力、前記電力増幅器の前記パワーヘッドルーム情報、及び他のアップリンクコンポーネントキャリアのパワーヘッドルーム情報の少なくとも一に従って確立された値を有する、通信装置。
【請求項１７】
請求項１２に記載の通信装置であって、前記ＰＨＲは、前記ＰＨＲ機能の構成又は非構成、前記ＰＨＲについての第１タイマーの使用期限、アップリンクコンポーネントキャリアのアクティベーション、非アクティベーション、構成又は非構成、前記電力増幅器の第２タイマーの使用期限、並びに／若しくは前記通信装置についての第２タイマーの使用期限に従ってトリガされる、通信装置。
【請求項１８】
請求項１２に記載の通信装置であって、前記ＰＨＲがトリガされるときに、前記通信装置、少なくともアップリンクコンポーネントキャリア、及び前記通信装置に対して構成された少なくとも電力増幅器の少なくとも一のパワーヘッドルーム情報を前記無線通信システムのネットワークに報告するステップは：
前記ＰＨＲがトリガされるときに、少なくとも媒体アクセス制御要素（ＭＡＣ  ＣＥ）により前記ネットワークに前記パワーヘッドルーム情報を報告するステップであって、複数のＭＡＣ  ＣＥは複数の異なるフォーマットを同様に有し、前記通信装置が用いる必要があるフォーマットは前記ネットワークにより明示的に知らされる、ステップ；
を有する、通信装置。
【請求項１９】
パワーヘッドルーム報告（ＰＨＲ）を実行する無線通信システムの通信装置であって、当該通信装置は、複数のアップリンクコンポーネントキャリア又は並列のＰＵＣＣＨ及びＰＵＳＣＨ送信により構成される、通信装置であり：
前記無線通信システムのネットワークに対して信号を受信する及び／又は送信する手段；並びに
前記ＰＨＲがトリガされるときに、少なくともアップリンクコンポーネントキャリアについて前記通信装置に対して構成された電力増幅器のパワーヘッドルーム制限及び／又は前記ＵＥの電力制限により少なくともアップリンクコンポーネントキャリアに対してパワーヘッドルーム情報を報告する手段；
を有する通信装置。
【請求項２０】
請求項１９に記載の通信装置であって、前記少なくともアップリンクコンポーネントキャリアについて前記通信装置に対して構成された前記電力増幅器の前記パワーヘッドルーム制限により前記少なくともアップリンクコンポーネントキャリアに対して前記パワーヘッドルーム情報を報告する手段は：
前記パワーヘッドルーム制限及び前記アップリンクコンポーネントキャリアの優先度又は前記アップリンクコンポーネントキャリアについての所定の重みにより前記アップリンクコンポーネントキャリアに対して前記パワーヘッドルーム情報を報告する手段；
を有する通信装置。
【請求項２１】
パワーヘッドルーム報告を処理する無線通信システムのネットワークであって：
前記無線通信システムの通信装置に対して並列のＰＵＣＣＨ及びＰＵＳＣＨ通信又は複数のアップリンクコンポーネントキャリアを構成する手段；並びに
前記通信装置から受信された、前記通信装置に対して構成された少なくとも電力増幅器、前記通信装置、及び少なくともアップリンクコンポーネントキャリアの少なくとも一の前記パワーヘッドルーム報告に従って、少なくともアップリンクコンポーネントキャリアに対して電力制御を実行する手段；
を有するネットワーク。
【請求項２２】
請求項２１に記載のネットワークであって：
前記通信装置に対して、コンポーネントキャリア構成についてのメッセージにより前記電力増幅器と前記アップリンクコンポーネントキャリアとの間でマッピング情報を送信する手段；
を更に有する、ネットワーク。
【発明の詳細な説明】
【技術分野】
【０００１】
本発明は、無線通信システムで使用される方法及び無線通信システムの通信装置に関し、特に、無線通信システムにおいてパワーヘッドルーム報告を実行する方法及び関連通信装置に関する。
【背景技術】
【０００２】
ＬＴＥ（Ｌｏｎｇ  Ｔｅｒｍ  Ｅｖｏｌｕｔｉｏｎ）無線通信システム、即ち３Ｇ移動体通信システムにおいて確立された高機能の高速無線通信システムはパケット切り替え送信のみをサポートし、単独のコミュニケーションサイトにおいて、例えば、ノードＢ（ＮＢ）及びＲＮＣ（Ｒａｄｉｏ  Ｎｅｔｗｏｒｋ  Ｃｏｎｔｒｏｌｅｒ）のそれぞれにおけるよりむしろノードＢにおいて、無線リンク制御（ＲＬＣ）レイヤ及び媒体アクセス制御（ＭＡＣ）レイヤの両方を実行する傾向にあり、故に、そのシステム構造は単純になる。  パワーヘッドルーム報告は、パワーヘッドルーム報告（ＰＨＲ）手順により生成され、最大ユーザ装置（ＵＥ）送信（ＴＸ）パワーと確立されたＵＬ−ＳＣＨ（Ｕｐｌｉｎｋ  Ｓｈａｒｅ  Ｃｈａｎｎｅｌ）についての通信パワーとの間の違いについての情報をサービングｅＮＢに与えるように用いられる。ユーザ装置により送信されたパワーヘッドルーム（ＰＨ）情報により、ネットワークはユーザ装置（ＵＥ）に無線リソースを割り当て、スケジュール決定をより効率的にすることが可能である。ＰＨＲ手順においては、ユーザ装置は、パワーヘッドルーム（ＰＨ）情報を担持するようにＭＡＣプロトコルデータユニット（ＰＤＵ）においてＭＡＣ制御要素を用いる。
【０００３】
例えば、より高いピークデータ速度でデータを送信する発展型能高速無線通信システムを目指して、ＬＴＥ発展型システムが、ＬＴＥシステムの改善として３ＧＰＰ（ｔｈｅ  ３ｒｄ  Ｇｅｎｅｒａｔｉｏｎ  Ｐａｒｔｎｅｒｓｈｉｐ）により標準化されている。ＬＴＥ発展型システムは、電力状態間のより高速な切り替えを目標とし、セルエッジにおける性能を改善し、帯域幅拡張、組織的マルチポイント送信／受信（ＣＯＭＰ）、アップリンク複数入力複数出力（ＭＩＭＯ）等の対象を有する。
【０００４】
帯域幅拡張については、キャリアアグリゲーション（ＣＡ）が、より広い帯域幅への拡張のためにＬＴＥ発展型システムに導入され、その場合、より広い送信帯域幅及びスペクトラムアグリゲーションをサポートするように、２つ又はそれ以上のコンポーネントキャリアが集合化される。キャリア集合化能力に従って、複数のコンポーネントキャリアが全体的により広い帯域幅に集合化され、その場合、ユーザ装置は、同時の送受信のための複数の（ダウンリンク及びアップリンク）コンポーネントキャリアに対応する複数のリンクを確立することが可能である。
【０００５】
キャリアアグリゲーションにおいては、ユーザ装置は、ネットワークとの１つのＲＲＣ接続のみを有する。ＲＣＣ接続確立／再確立／ハンドオーバにおいて、１つのサービングセルはＮＡＳ移動度情報を提供し、ＲＲＣ接続再確立／ハンドオーバにおいて、１つのサービングセルはセキュリティ入力を提供する。このセルは一次サービングセル（ＰＣｅｌｌ）と称せられる。ダウンリンクにおいては、ＰＣｅｌｌに対応するキャリアはダウンリンク一次コンポーネントキャリア（ＤＬ  ＰＣＣ）である一方、アップリンクにおいては、それはアップリンク一次コンポーネントキャリア（ＵＬ  ＰＣＣ）である。更に、ＰＣｅｌｌ以外のセルは二次サービングセル（ＳＣｅｌｌ）と称せられる。
【０００６】
同じｅＮＢからもたらされたＣＣの異なる数且つアップリンク及びダウンリンクにおける異なる、可能性がある帯域幅の異なる数を集合化するように、ユーザ装置を構成することが可能である。構成されることが可能であるダウンロードＣＣの数はユーザ装置のダウンロードアグリゲーション能力に依存し、構成されることが可能であるアップロードＣＣの数はユーザ装置のアップロードアグリゲーション能力に依存し、ダウンロードＣＣより多いアップロードＣＣを有するユーザ装置を構成することは可能でなく、典型的なＴＤＤ展開においては、アップロード及びダウンロードにおけるＣＣの数及び各々のＣＣの帯域幅は同じであることに留意されたい。更に、ＰＣｅｌｌは常に、ＤＬ  ＰＣＣ及びＵＬ  ＰＣＣにより構成され、ＳＣｅｌｌはＤＬ  ＳＣＣのみにより構成されることが可能である。
【０００７】
ＬＴＥ−Ａシステム（例えば、Ｒｅｌ−１０）においては、並列のＰＵＣＣＨ及びＰＵＳＣＨ送信（ｔｒａｎｓｍｉｓｓｉｏｎ）がサポートされている。従って、ｅＮＢは、ＰＵＳＣＨ及びＰＵＣＣＨをスケジューリングするｅＮＢを支援するように、ユーザ装置の現在の送信電力に寄与するＰＵＣＣＨ及びＰＵＳＣＨ送信電力を考慮する必要がある。アップリンクリソースについては、ＰＣｅｌｌはＰＵＳＣＨ及びＰＵＣＣＨを有するが、ＳＣｅｌｌはＰＵＳＣＨのみを有する。
【０００８】
ＬＴＥ発展型システムシステムにおいて単独のアップリンクコンポーネントキャリアをサポートするユーザ装置については、ユーザ装置は、１つのアップリンクコンポーネントキャリアのみに対してＰＨＲを報告する。ＬＴＥ発展型システムにおいて複数のアップリンクコンポーネントキャリアをサポートするユーザ装置については、ユーザ装置は、複数のアップリンクコンポーネントキャリアに対してＰＨＲを報告する必要がある。しかしながら、ネットワーク（例えば、ｅＮＢ）は、たとえそのネットワークがユーザ装置の各々のアップリンクコンポーネントキャリアの電力状況を認識しているとしても、アップリンクコンポーネントキャリアの送信電力をうまく制御することは可能でない。ユーザ装置の送信アーキテクチャに基づいて、複数のアップリンクコンポーネントキャリアは同じ電力増幅器（ＰＡ）を共有することが可能である。例えば、送信のために１つの電力増幅器を有する構成されたユーザ装置は、２つのアップリンクコンポーネントキャリアにより構成される。パワーヘッドルーム報告（ＰＨＲ）がトリガされるとき、ユーザ装置は、ＬＴＥ発展型システム及び／又はＬＴＥシステムの概念に基づいてネットワークにコンポーネントキャリアそれぞれについてのパワーヘッドルーム（ＰＨ）情報を報告する。電力増幅器の電力リソースは２つのコンポーネントキャリアにより共有されるため、ユーザ装置が、第２コンポーネントキャリアのＰＨ情報の考慮を伴わずに第１コンポーネントキャリアのＰＨ情報に従って第１コンポーネントキャリアに対して電力リソースを割り当て、第１コンポーネントキャリアのＰＨ情報の考慮を伴わずに第２コンポーネントキャリアのＰＨ情報に従って第２コンポーネントキャリアに対して電力リソースを割り当てる場合、第１コンポーネントキャリア及び第２コンポーネントキャリアに対して割り当てられた電力リソースの合計は電力増幅器のパワーヘッドルームを上回ることが可能である。従って、ユーザ装置は、電力増幅器の電力制限のために各々のコンポーネントキャリアのＰＨ情報に従って電力リソースを割り当てることはできない。
【発明の概要】
【発明が解決しようとする課題】
【０００９】
本発明においては、上記の課題を解決するように、無線通信システムにおいてＰＨＲを実行する方法及び関連通信装置について開示している。
【課題を解決するための手段】
【００１０】
無線通信システムにおける複数のアップリンクコンポーネントキャリアにより構成される通信装置又は無線通信システムにおける並列のＰＵＣＣＨ及びＰＵＳＣＨ送信（ｔｒａｎｓｍｉｓｓｉｏｎ）のための、パワーヘッドルーム報告（以下、ＰＨＲという）を実行する方法について、開示している。その方法は、ＰＨＲがトリガされるときに、無線通信システムのネットワークに、通信装置の少なくとも１つ、少なくともアップリンクコンポーネントキャリア及び通信装置に対して構成された少なくとも電力増幅器のパワーヘッドルーム情報を報告するステップを有する。
【００１１】
複数のアップリンクコンポーネントキャリアにより構成される通信装置、又は無線通信システムにおける並列のＰＵＣＣＨ及びＰＵＳＣＨ送信のための、パワーヘッドルーム報告（以下、ＰＨＲという）を実行する方法について開示されている。その方法は、ＰＨＲがトリガされるときに、少なくともアップリンクコンポーネントキャリアのための通信装置に対して構成された電力増幅器の電力制限及び／又はパワーヘッドルーム制限及びユーザ装置の電力制限により少なくともアップリンクコンポーネントキャリアのパワーヘッドルーム情報を報告するステップを有する。
【００１２】
無線通信システムにおけるネットワークについてのパワーヘッドルーム報告を処理する方法について、開示されている。その方法は、無線通信システムの通信装置への並列のＰＵＣＣＨ及びＰＵＳＣＨ送信又は複数のアップリンクコンポーネントキャリアを構成するステップと、通信装置から受信された、通信装置に対して構成された少なくとも電力増幅器、及び少なくともアップリンクコンポーネントキャリアの少なくとも一のパワーヘッドルーム報告に従って、電力制御を実行するステップと、を有する。
【００１３】
無線通信システムにおけるネットワークについてのパワーヘッドルーム報告を処理する方法について開示されている。その方法は、無線通信システムの通信装置への並列のＰＵＣＣＨ及びＰＵＳＣＨ送信又は複数のアップリンクコンポーネントキャリアを構成するステップと、少なくともアップリンクコンポーネントキャリアのための通信装置に対して構成された電力増幅器のパワーヘッドルーム制限及び／又はユーザ装置の電力制限により少なくともアップリンクコンポーネントキャリアのパワーヘッドルーム報告に従って電力制御を実行するステップと、を有する。
【００１４】
パワーヘッドルーム報告（以下、ＰＨＲという）を実行する無線通信システムの通信装置について開示されている。通信装置は、複数のアップリンクコンポーネントキャリア又は並列のＰＵＣＣＨ及びＰＵＳＣＨ送信により構成され、ＰＨＲがトリガされるときに、無線通信システムのネットワークに、通信装置に対して構成された通信装置、少なくともアップリンクコンポーネントキャリア及び少なくとも電力増幅器の少なくとも一のパワーヘッドルーム情報を報告する手段を有する。
【００１５】
パワーヘッドルーム報告（以下、ＰＨＲという）を実行する無線通信システムの通信装置について開示されている。通信装置は、複数のアップリンクコンポーネントキャリア又は並列のＰＵＣＣＨ及びＰＵＳＣＨ送信により構成され、少なくともアップリンクコンポーネントキャリアのための通信装置に対して構成された電力増幅器のパワーヘッドルーム制限及び／又はユーザ装置の電力制限により少なくともアップリンクコンポーネントキャリアのパワーヘッドルーム情報を報告する手段を有する。
【００１６】
パワーヘッドルーム報告を処理する無線通信システムのネットワークについて開示されている。そのネットワークは、無線通信システムの通信装置に対する並列のＰＵＣＣＨ及びＰＵＳＣＨ送信又は複数のアップリンクコンポーネントキャリアを構成する手段と、通信手段から受信される、通信装置に対して構成された少なくとも電力増幅器、通信装置及び少なくともアップリンクコンポーネントキャリアの少なくとも一のパワーヘッドルーム報告に従って電力制御を実行する手段と、を有する。
【００１７】
パワーヘッドルーム報告を処理する無線通信システムのネットワークについて開示されている。そのネットワークは、無線通信システムの通信装置に対する並列のＰＵＣＣＨ及びＰＵＳＣＨ送信又は複数のアップリンクコンポーネントキャリアを構成する手段と、少なくともアップリンクコンポーネントキャリアのための通信装置に対して構成される電力増幅器のパワーヘッドルーム制限及び／又はユーザ装置の電力制限により少なくともアップリンクコンポーネントキャリアのパワーヘッドルーム報告に従って電力制御を実行する手段と、を有する。
【００１８】
本発明の上記の及び他の目的は、種々の図に示されている好適な実施形態についての以下の詳細説明を読むことにより、当業者に明らかになると確信している。
【図面の簡単な説明】
【００１９】
【図１】例示としての無線通信システムの模式図である。
【図２】図１の無線通信システムのｅＮＢの下でのユーザ装置及び複数のセルの模式図である。
【図３】例示としての無線通信システムの模式図である。
【図４】例示としての無線通信システムについての通信プロトコルレイヤの模式図である。
【図５】例示としての処理のフローチャートである。
【図６】電力増幅器及びコンポーネントキャリアについてのＰＨ報告の模式図である。
【図７】ユーザ装置及び電力増幅器についてのＰＨ報告の模式図である。
【図８】集合化されたＰＨＲフォーマットの模式図である。
【図９】ビットマップを有する集合化されたＰＨＲフォーマットの模式図である。
【図１０】ビットマップを有する集合化されたＰＨＲフォーマットの模式図である。
【図１１】コンポーネントキャリア識別を有する集合化されたＰＨＲフォーマットの模式図である。
【図１２】特定のＰＨＲフォーマットの模式図である。
【図１３】ＰＡに基づくＰＨＲフォーマットの模式図である。
【図１４】ＰＡ識別を有する集合化されたＰＨＲフォーマットの模式図である。
【図１５】ＰＡ識別及びコンポーネントキャリア識別を有する集合化されたＰＨＲフォーマットの模式図である。
【図１６】例示としての処理のフローチャートである。
【図１７】第１実施形態に従ったＰＨ報告の模式図である。
【図１８】第２実施形態に従ったＰＨ報告の模式図である。
【図１９】第３実施形態に従ったＰＨ報告の模式図である。
【図２０】例示としての処理のフローチャートである。
【発明を実施するための形態】
【００２０】
無線通信システム１０の模式図である図１を参照されたい。無線通信システム１０は、ＬＴＥ−Ａ（Ｌｏｎｇ−Ｔｅｒｍ  Ｅｖｏｌｕｔｉｏｎ  Ａｄｖａｎｃｅｄ）システム又は他の移動通信システムであり、手短にいえば、ネットワーク及び複数のユーザ装置（ＵＥ）を有する。図１においては、ネットワーク及びユーザ装置は、無線通信システム１０の構造を示すために簡略化されて用いられている。実際には、ネットワークは複数の発展型基地局（ｅＮＢ）を有する発展型世界地上無線接続ネットワーク（Ｅ−ＵＴＲＡＮ）であることが可能である。ユーザ装置は、携帯電話、コンピュータシステム等の装置であることが可能である。更に、ネットワーク及びユーザ装置は、受信方向に従って、例えば、アップリンク（ＵＬ）について、送信器又は受信器として認識されることが可能であり、ユーザ装置は送信器であり且つネットワークは受信器であり、そしてダウンリンク（ＤＬ）について、ネットワークは送信器であり且つユーザ装置は受信器である。
【００２１】
無線通信システム１０におけるユーザ装置及び複数のセルの模式図である図２を参照されたい。ユーザ装置は、図２に示している１つの一次サービングセル（ＰＣｅｌｌ）及び複数の二次サービングセル（ＳＣｅｌｌｓ）（ＳＣｅｌｌ１乃至ＳＣｅｌｌＮ）と通信する。ダウンリンクにおいては、一次サービングセルに対応するコンポーネントキャリアはダウンリンク一次コンポーネントキャリア（ＤＬ  ＰＣＣ）である一方、アップリンクにおいては、それはアップリンク一次コンポーネントキャリア（ＵＬ  ＰＣＣ）である。ユーザ装置の能力に依存して、二次サービングセルは、一次サービングセルと共にサービングセルのセルの集合を構成することが可能である。ダウンリンクにおいては、二次サービングセルに対応するコンポーネントキャリアはダウンリンク二次コンポーネントキャリア（ＤＬ  ＳＣＣ）である一方、アップリンクにおいては、それは、アップリンク二次コンポーネントキャリア（ＵＬ  ＳＣＣ）である。一次サービングセルは常に、ＤＬ  ＰＣＣ及びＵＬ  ＰＣＣにより構成され、二次サービングセルはＤＬ  ＳＣＣのみにより構成されることが可能である。
【００２２】
図３は、例示としての通信装置２０の模式図である。通信装置２０は、図１に示すユーザ装置であることが可能であるが、それに限定されるものではない。通信装置２０は、マイクロプロセッサ又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、記憶ユニット２１０及び通信インタフェースユニット２２０等の処理手段２００を有することが可能である。記憶ユニット２１０は、処理手段２００によるアクセスのためのプログラムコード２１４を記憶することが可能である何れかの記憶装置であることが可能である。記憶ユニット２１０の例としては、加入者識別モジュール（ＳＩＭ）、読み出し専用メモリ（ＲＯＭ）、フラッシュメモリ、ランダムアクセスメモリ（ＲＡＭ）、ＣＤ−ＲＯＭ、磁気テープ、ハードディスク及び光データ記憶装置があるが、それらに限定されるものではない。通信インタフェースユニット２２０は好適には、無線トランシーバであり、処理手段２００の処理結果に従ってネットワークと無線信号を交換することが可能である。
【００２３】
ＬＥＴ−Ａシステムについての通信プロトコルレイヤの模式図である図４を参照されたい。プロトコルレイヤの一部の挙動は、プログラムコード２１４において規定され、処理手段２００により実行される。下部から上部までのプロトコルレイヤは無線リソース制御（ＲＲＣ）レイヤ３００、パケットデータ収束プロトコル（ＰＤＣＰ）レイヤ３１０、無線リンク制御（ＲＬＣ）レイヤ３２０、媒体アクセス制御（ＭＡＣ）レイヤ３３０及び物理（ＰＨＹ）レイヤ３４０である。ＭＡＣレイヤ３３０は、パワーヘッドルーム報告（ＰＨＲ）がトリガされるときに、パワーヘッドルーム情報を有するＭＡＣ  ＰＤＵ（プロトコルデータユニット）の生成に寄与する。
【００２４】
ユーザ装置の送信アーキテクチャに関しては、ＲＦ信号送信のための１つ又はそれ以上の無線周波数（ＲＦ）モジュール、ＲＦチェーン及び／又は電力増幅器（ＰＡ）を備えることが可能である。各々のＲＦモジュール又は電力増幅器は、１つ又は２つ以上のアップリンクコンポーネントキャリアをサポートすることが可能である。従って、ＲＦモジュール及び／又は電力増幅器の電力制限がＬＴＥ−Ａシステムにおいて考慮される。そうでなければ、各々のコンポーネントキャリアに電力リソースを割り当てることは困難である。詳細説明については上記を参照することができるため、ここでは、省略する。一部の実施形態においては、電力制限は、ユーザ装置の製造メーカ又はアンテナの製造業者により提供されることが可能であり、異なる製造メーカ又は製造業者によって変えられることが可能である。他の実施形態においては、要求される最小の電力制限が技術仕様において規定されることが可能であり、ユーザ装置は、少なくともその最小の要求に適合するように製造されることが可能である。又は、電力増幅器の電力制限は、ユーザ装置の最大の出力電力と同じ（例えば、２３ｄＢｍ又は２５ｄＢｍ）であることが可能である。更に、電力制限は、ネットワーク（例えば、ｅＮＢ）から送信される専用シグナリングにより調整されることが可能である。更に、ユーザ装置は複数の電力増幅器をサポートするため、ユーザ装置の電力制限も考慮される必要がある。そうでなければ、各々の電力増幅器について電力リソースを割り当てることは困難である。
【００２５】
ネットワークの電力制御及びリソース管理機能を改善するように、本発明者は、下記のように複数の方法を提供する。
【００２６】
例示としての処理のフローチャートである図５を参照されたい。処理５０が、パワーヘッドルーム（ＰＨ）の報告のために、複数のアップリンクコンポーネントキャリア又は並列のＰＵＣＣＨ及びＰＵＳＣＨ送信を有するユーザ装置において用いられる。処理５０はプログラムコード２１４にコンパイルされることが可能であり、次のステップを有する。ステップ５００：開始
ステップ５１０：パワーヘッドルーム報告（ＰＨＲ）がトリガされるとき、少なくとも１つのユーザ装置、少なくともアップリンクコンポーネントキャリア及びユーザ装置に備えられた少なくとも電力増幅器のパワーヘッドルーム（ＰＨ）情報の報告をする。
ステップ５２０：  終了
処理５０に従って、ユーザ装置（ＵＥ）は、ＰＨＲがトリガされっるとき、ユーザ装置のＰＨ情報、アップリンクコンポーネントキャリアのＰＨ情報及び電力増幅器（ＰＡ）のＰＨ情報の少なくとも一を報告する。従って、ネットワーク（例えば、ｅＮＢ）は、少なくとも１つのＵＥ、ＰＡ及びアップリンクコンポーネントキャリアのＰＨ情報に基づいて、アップリンク送信電力及び／又は管理アップリンクリソース（例えば、リソースブロック（ＲＢ）割り当て、変調及び符号化スキーム（ＭＣＳ））を制御することが可能である。
【００２７】
ＰＨＲは、アッパーレイヤ（例えば、ＲＲＣレイヤ３００）によりパワーヘッドルーム報告の構成又は再構成時にトリガされることが可能であることに留意されたい。更に、ネットワークは、ユーザ装置にタイマー（例えば、周期的ＰＨＲタイマー）を構成することが可能である。タイマーが期限切れになるとき、ＰＨＲがトリガされる。更に、ネットワークは、ユーザ装置にタイマー（例えば、禁止ＰＨＲタイマー）を構成することが可能である。タイマーが期限切れになる又は期限切れになったとき、ユーザ装置が新しい送信のためのアップリンクリソースを有するときのＰＨＲの最後の送信以来、経路損失基準として用いられる少なくとも１つのアクティブにされたサービングセルについての閾値より大きく経路損失が変化したとき、ＰＨＲはトリガされる。
【００２８】
更に、ＰＨＲは、ＳＣｅｌｌ（アップリンクコンポーネントキャリアを有する）が追加される（構成される）及び／又は取り除かれる（構成を解かれる）ときに、トリガされる。更に、ＰＨＲは、構成されたアップリンクコンポーネントキャリアを有するＳＣｅｌｌがアクティブにされるときに、トリガされる。更に、ネットワークは、構成された電力増幅器のためにユーザ装置にタイマー（周期的ＰＡ＿ＰＨＲタイマー）を構成することが可能である。タイマーが期限切れになったとき、ＰＨＲはトリガされる、及び／又はユーザ装置は、対応する電力増幅器に対してパワーヘッドルーム情報を報告する。更に、ネットワークは、ユーザ装置のためにユーザ装置にタイマー（周期的ＵＥ＿ＰＨＲタイマー）を構成することが可能である。タイマーが期限切れになるとき、ＰＨＲはトリガされる、及び／又はユーザ装置はユーザ装置パワーヘッドルーム情報を報告する。
【００２９】
本発明の概念を明確に理解するために、電力増幅器（ＰＡ）に対するパワーヘッドルーム（ＰＨ）報告及びＰＡに対応するアップリンクコンポーネントキャリアＣＣ＃１及びＣＣ＃２を示している図６を参照されたい。図６においては、ユーザ装置は、アップリンクコンポーネントキャリアＣＣ＃１及びＣＣ＃２のＰＨ情報及びＰＡのＰＨ情報を報告する。コンポーネントキャリアＣＣ＃１のＰＨ情報は、コンポーネントキャリア最大（構成）送信電力Ｐｃｍａｘ＿ＣＣ＃１とコンポーネントキャリアにおける送信電力ＣＣ＃１との間の差分を表すＰＨ値ＰＨＲ＿ＣＣ＃１と、コンポーネントキャリア最大（構成）送信電力Ｐｃｍａｘ＿ＣＣ＃２とコンポーネントキャリアにおける送信電力ＣＣ＃２との間の差分を表すＰＨ値ＰＨＲ＿ＣＣ＃２と、を有し、ＰＡのＰＨ情報は、ＰＡ最大（構成）送信電力ＰＰＡ＿ｍａｘとコンポーネントキャリアにおける送信電力ＣＣ＃１及びＣＣ＃２との間の差分を表すＰＨ値ＰＨＲ＿ＰＡを有する。ＰＡのＰＨ情報（即ち、ＰＨ値ＰＨＲ＿ＰＡ）を用いて、ネットワークは、ＰＡのパワーヘッドルーム制限を上回ることなく、コンポーネントキャリアＣＣ＃１及びＣＣ＃２の両方について適切な電力リソースを割り当てることができる。例えば、ユーザ装置は、ＰＨ値ＰＨＲ＿ＣＣ＃１が１００ｍＷであり、ＰＨ値ＰＨＲ＿ＣＣ＃２が１００ｍＷであり、ＰＨ値ＰＨＲ＿ＰＡが１５０ｍＷであることを、ネットワークに報告する。この状況下では、ネットワークは、コンポーネントキャリアＣＣ＃１及びＣＣ＃２のために割り当てられた電力リソースが１５０ｍＷを上回らないために、コンポーネントキャリアＣＣ＃１及びＣＣ＃２の各々に対して７５ｍＷを割り当てることが可能である。
【００３０】
他方、ユーザ装置及びＰＡ  ＰＡ＃１及びＰＡ＃２についてのＰＨ報告を示す図７を参照されたい。図７においては、ユーザ装置は、ＰＡ  ＰＡ＃１及びＰＡ＃２のＰＨ情報（例えば、ＰＰＡ＿ＭＡＸ＃１及びＰＰＡ＿ＭＡＸ＃２）と、ユーザ装置のＰＨ情報（例えば、ＰＨＲ＿ＵＥ）を報告する。従って、ネットワークは、ユーザ装置のパワーヘッドルーム制限を上回ることなくＰＡ  ＰＡ＃１及びＰＡ＃２の両方について適切な電力リソースを割り当てることが可能である。
【００３１】
処理５０に基づく実施例を検討する。全てがアップリンクコンポーネントキャリアにより構成される１つのＰＣｅｌｌ及び２つのＳＣｅｌｌ（即ち、図２のＳＣｅｌｌ＃１及びＳＣｅｌｌ＃２）によりユーザ装置が構成されることを前提とする。更に、ユーザ装置は、２つのＰＡ  ＰＡ＃１及びＰＡ＃２が備えられる。ユーザ装置は、ＰＣｅｌｌ、ＳＣｅｌｌ＃１、ＳＣｅｌｌ＃２、ＰＡ＃１、ＰＡ＃２、及びＭＡＣ  ＰＤＵのＭＡＣ  ＣＥ又は別個のＭＡＣ  ＣＥにおけるユーザ装置に対してＰＨ情報を報告する。ＰＣｅｌｌは、従来技術からもたらされるＰＵＳＣＨ及びＰＵＣＣＨリソースを有し、故に、ＭＡＣ  ＣＥにおいて、ユーザ装置は、ＰＣｅｌｌにおいてＰＵＳＣＨのＰＨ情報（タイプ１  ＰＨという）及びＰＵＣＣＨのＰＨ情報（タイプ２  ＰＨという）を報告する。
【００３２】
ＰＨＲ  ＭＡＣ  ＣＥフォーマットに関しては、図８乃至１５を参照されたい。図８は、第１実施形態に従った集合化されたＰＨＲフォーマットを示している。この実施形態においては、ＰＣｅｌｌ、ＳＣｅｌｌ＃１及びＳＣｅｌｌ＃２、ＰＡ並びに／若しくはユーザ装置（ＵＥ）についてのＰＨ情報は同じＭＡＣ  ＣＥにおいて集合化される。図８においては、ＰＨフィールドは、ＰＣｅｌｌ、ＳＣｅｌｌ＃１及びＳＣｅｌｌ＃２、ＰＡ並びに／若しくはＵＥについてのパワーヘッドルームレベルを表すことが可能であり、所定の順序にあることが可能である。更に、仮想フィールド（例えば、１ビット）が、ＰＨ値が実際の送信又は仮想ＰＨフォーマット（例えば、参照フォーマット）に基づくかどうかを示すように用いられることが可能である。仮想ＰＨフォーマットは、対応するＰＣｅｌｌ、ＳＣｅｌｌ＃１、ＳＣｅｌｌ＃２、ＰＡ及び／又はＵＥにおいて実際のアップリンク送信が存在しないときに、用いられることが可能である。
【００３３】
更に、ＭＡＣ  ＣＥに対応するＭＡＣサブヘッダが必要であり、ＭＡＣサブヘッダは、対応するＭＡＣ制御要素がＰＨ報告のために用いられることを示すように、ＬＣＩＤ（Ｌｏｇｉｃ  Ｃｈａｎｎｅｌ  Ｉｄｅｎｔｉｔｙ）を有する。更に、ＭＡＣサブヘッダは、将来の使用のために予約された予約フィールドと、更なるフィールドがＭＡＣヘッダに存在するか否かを示す拡張フィールドと、ＭＡＣ  ＣＥの長さを示す長さフィールドと、その長さの大きさを示すフォーマットフィールドと、パワーヘッドルームレベルを示すＰＨフィールドとを有することが可能である。
【００３４】
第２実施形態に従ったビットマップを有する集合化されたＰＨＲフォーマットを示す図９を参照されたい。この実施形態においては、ビットマップは、ＰＡのＰＨ情報（例えば、ＰＡ＃１及びＰＡ＃２）の欠如、ＳＣｅｌｌ＃１及びＳＣｅｌｌ＃２のＰＨ情報の欠如並びに／若しくはＵＥのＰＨ情報の欠如を表すように用いられる。ＰＨフィールドは、ＰＣｅｌｌ、ＳＣｅｌｌ＃１及びＳＣｅｌｌ＃２、ＰＡ並びに／若しくはＵＥについてのパワーヘッドルームレベルを表すことが可能であり、所定の順序にあることが可能である。更に、仮想フィールドが、仮想ＰＨ情報（例えば、仮想ＰＨ参照フォーマット）が用いられるかどうかを示すように用いられることが可能である。
【００３５】
第２実施形態に従ったビットマップを有する集合化されたＰＨＲフォーマットを示す図１０を参照されたい。この実施形態においては、ビットマップは、アップリンクコンポーネントキャリアと対応するＰＡ及び／又はＲＦモジュールとの間のマッピングを提供するように用いられることが可能である。例えば、コンポーネントキャリアＣＣ＃０及びＣＣ＃２は同じＰＡ（例えば、ＰＡ＃１）に対してマッピングし、コンポーネントキャリアＣＣ＃１は同じＰＡ＃２に対してマッピングする。８ビットビットマップが図１０に示されていることに留意されたい。しかしながら、ビットマップについてのビット数は８ビットに限定されるものではない。
【００３６】
第４実施形態に従ったコンポーネントキャリア識別を有する集合化されたＰＨＲフォーマットを示す図１１を参照されたい。この実施形態においては、ＰＡに対してマッピングされたアップリンクコンポーネントキャリアのＰＨは、対応するＰＡのＰＨにより後続される。更に、各々のコンポーネントキャリアのＰＨは、そのコンポーネントキャリア識別（図１１におけるＣＣ  ＩＤのような）が付けられることが可能であり、ＰＡのＰＨはまた、開始点ＣＣ  ＩＤを表すことが可能であるＣＣ  ＩＤが付けられることが可能である。対応するＰＡのＰＨに対して開始点ＣＣ  ＩＤからリストアップされたこのＰＨＲ  ＭＡＣ  ＣＥにおけるそれらのコンポーネントキャリアはこのＰＡに対してマッピングされることが可能である。２ビットＣＣ  ＩＤが図１１に示されていることに留意されたい。しかしながら、ＣＣ  ＩＤについてのビット数は２ビットに限定されるものではない。
【００３７】
一部の実施形態においては、マッピング情報は、アップリンクコンポーネントキャリアがＵＥに対して構成されるときに、提供されることが可能である。例えば、ネットワークは、ＵＥに対してアップリンクリソース（例えば、アップリンクチャネル、アップリンクキャリア、アップリンクサブフレーム等）を有する１つ（又はそれ以上）のＳＣｅｌｌを構成（又は、追加）するようにメッセージを送信し、このメッセージは、ＰＡと構成されたアップリンクコンポーネントキャリアとの間のマッピング情報を有する。更に、このメッセージは、どのＰＡを構成されたアップリンクコンポーネントキャリアが用いるか、及び／又はどのＰＡを各々の構成されたアップリンクコンポーネントキャリアについての１つ（又はそれ以上の）ＰＡ識別が有するかを示すことが可能である。マッピング情報の送信の前に、ＵＥの能力情報（例えば、ＲＦ送信アーキテクチャ、ＰＡの数等）がネットワークに提供されることが可能である。
【００３８】
他方、ＳＣｅｌｌ構成メッセージを受信した後、ＵＥは、構成が完成されたことを示すメッセージにより応答することが可能である。一部の実施形態においては、そのメッセージは、ＰＡと構成されたアップリンクコンポーネントキャリアとの間のマッピング情報を有することが可能である。更に、このメッセージは、どのＰＡを構成されたアップリンクコンポーネントキャリアが用いる必要があるかを示し、及び／又は各々の構成されたアップリンクコンポーネントキャリアについて１つ（又はそれ以上）のＰＡ識別を有することが可能である。
【００３９】
第５実施形態に従った別個のＰＨＲフォーマットを示す図１２を参照されたい。この実施形態においては、１つのＭＡＣ  ＣＥが、コンポーネントキャリアＰＨ報告のために、１つのＭＡＣ  ＣＥがＰＡ  ＰＨ報告のために、及び／又は１つのＭＡＣ  ＣＥがＵＥ  ＰＨ報告のために、用いられることが可能である。他方、対応するＭＡＣサブヘッダにおけるＬＣＩＤは、異なるＭＡＣ  ＣＥを区別するように用いられることが可能である。例えば、１つのＬＣＩＤがコンポーネントキャリアＰＨ報告のために用いられることが可能であり、１つのＬＣＩＤがＰＡ  ＰＨ報告のために用いられることが可能であり、及び／又は、１つのＬＣＩＤがＵＥ  ＰＨ報告のために用いられることが可能である。それらのＭＡＣ  ＣＥは同じＭＡＣ  ＰＤＵに含まれることが可能であり、及び／又は同じ時間に送信されることが可能であり、及び／又は同じコンポーネントキャリアにおいて送信されることが可能である。
【００４０】
図１３は、第６実施形態に従ったＰＡに基づくＰＨＲフォーマットの模式図である。この実施形態においては、ＰＨＲ  ＭＡＣ  ＣＥは、同じＰＡ（例えば、ＰＡ＃１）、ＰＡのＰＨＲ、及び／又はＵＥのＰＨＲに対してマッピングされたアップリンクコンポーネントキャリアのＰＨＲを有する。ＰＡ識別ＰＡ＿ＩＤがＰＨＲ報告（例えば、ＭＡＣサブヘッダ及び／又はＭＡＣ  ＣＥ）に含まれることが可能であることに留意されたい。
【００４１】
図１４は、第７実施形態に従ったＰＡ識別を有する集合化されたＰＨＲフォーマットの模式図である。この実施形態においては、ＰＡのＰＨＲは、ＰＡ識別ＰＡ  ＩＤが付けられることが可能である。更に、図１５は、第８実施形態に従ったＰＡ識別及びコンポーネントキャリア識別を有する集合化されたＰＨＲフォーマットの模式図である。この実施形態においては、各々のコンポーネントキャリア及び／又はＰＡについてのＰＨ情報が、コンポーネントキャリア識別ＣＣ  ＩＤ及び／又はＰＡ識別ＰＡ  ＩＤのそれぞれが付けられることが可能である。
【００４２】
ＰＨＲ  ＭＡＣ  ＣＥは、異なるシナリオ及び／又は異なる時間を有する同じフォーマット（例えば、ＴＴＩ、サブフレーム）にないことが可能である。一部の実施形態においては、用いられるＭＡＣ  ＣＥのフォーマットはネットワークにより決定されることが可能である。例えば、ネットワークは、ＵＥが使用する必要があるＭＡＣ  ＣＥのフォーマットを明示的に知らせるように、ＵＥにメッセージを送信することが可能である。更に、ネットワーク又はＵＥは、ＳＣｅｌｌが構成されているかどうか、並列のＰＵＣＣＨ及びＰＵＳＣＨ送信がサポート又は構成されているかどうか、及び／又はネットワークのバージョン（例えば、３ＧＰＰリリース８、９、１０バージョン又は後のバージョン）がサポート又は構成されているかどうかに基づいて、ＭＡＣ  ＣＥの採用フォーマットを決定することが可能である。
【００４３】
ＰＨ予測のために、ＰＨ情報に含まれるコンポーネントキャリアのＰＨ値（以下、ＰＨ（ＣＣ）という）、ＰＡのＰＨ値（以下、ＰＨ（ＰＡ）という）、及び／又はＵＥのＰＨ値（以下、ＰＨ（ＵＥ）という）が、次のパラメータの少なくとも１つに基づいて予測されることが可能である。
１．（構成された）ＣＣ送信済み電力（例えば、ＰＣＭＡＸ，Ｃ）
２．（構成された）最大ＰＡ出力電力（例えば、ＰＰＡ＿ＭＡＸ）
３．最大電力減少（即ち、ＭＰＲ）
４．追加的最大電力減少（即ち、Ａ−ＭＰＲ）
５．ＰＵＣＣＨに対する送信電力
６．ＰＵＳＣＨに対する送信電力
７．（構成された）ＵＥ最大出力電力（例えば、ＵＥ電力クラスＰｐｏｗｅｒｃｌａｓｓ）
８．高次のレイヤによりシグナリングされた最大許容ＵＥ出力電力（例えば、ＰＥＭＡＸ，Ｐ−ｍａｘ）
９．アップリンクコンポーネントキャリアの数（同じＰＡに対してマッピングされた）
１０．チャネル帯域幅
上記のパラメータについての詳細説明又は定義については、３ＧＰＰ  ＴＳ  ３６．１０１規格に記載されている。
【００４４】
例えば、ＰＨ（ＣＣ）は次の式により予測されることが可能である。
１．タイプ１  ＰＨ：ＰＣＭＡＸ，Ｃ−ＰＵＳＣＨ電力。
２．タイプ２  ＰＨ：ＰＣＭＡＸ，Ｃ−ＰＵＣＣＨ電力−ＰＵＳＣＨ電力
ここで、ＰＣＭＡＸ，Ｃは境界内で設定されることが可能である。例えば、ＰＣＭＡＸ＿Ｌ，Ｃ≦ＰＣＭＡＸ，Ｃ≦ＰＣＭＡＸ＿Ｈ，Ｃであり、ここで、ＰＣＭＡＸ＿Ｌ，Ｃ＝ＭＩＮ｛ＰＥＭＡＸ，Ｃ−ΔＴＣ，ＰＰｏｗｅｒＣｌａｓｓ−ＭＰＲ−Ａ−ＭＰＲ−ΔＴＣ｝，又はＰＣＭＡＸ＿Ｌ，Ｃ＝ＭＩＮ｛ＰＥＭＡＸ，Ｃ−ΔＴＣ，ＰＰＡ＿ＭＡＸ−ＭＰＲ−Ａ−ＭＰＲ−ΔＴＣ｝，又はＰＣＭＡＸ＿Ｌ，Ｃ＝ＭＩＮ｛ＰＥＭＡＸ，Ｃ−ΔＴＣ，ＰＰｏｗｅｒＣｌａｓｓ−ＭＰＲ−Ａ−ＭＰＲ−ΔＴＣ，ＰＰＡ＿ＭＡＸ−ＭＰＲ−Ａ−ＭＰＲ−ΔＴＣ｝及びＰＣＭＡＸ＿Ｈ，Ｃ＝ＭＩＮ｛ＰＥＭＡＸ，Ｃ，ＰＰｏｗｅｒＣｌａｓｓ｝，又はＰＣＭＡＸ＿Ｈ，Ｃ＝ＭＩＮ｛ＰＥＭＡＸ，Ｃ，ＰＰＡ＿ＭＡＸ｝。
【００４５】
一部の実施形態においては、ＰＨ（ＣＣ）は、対応するＰＡのＰＨ及び／又は他のコンポーネントキャリアのＰＨに基づいて確立されることが可能である。例えば、ＰＨ（ＣＣ＃１）は次式により確立されることが可能である。
１．タイプ１：ＰＣＭＡＸ，Ｃ−ＰＵＳＣＨ電力、及び
２．タイプ２：ＰＣＭＡＸ，Ｃ−ＰＵＣＣＨ電力−ＰＵＳＣＨ電力
しかし、ＰＨ（ＣＣ＃２）は次式により確立されることが可能である。
１．タイプ１：ｍｉｎ｛ＰＣＭＡＸ，Ｃ−ＰＵＳＣＨ電力，ＰＨＲ＿ＰＡ−ＰＨＲ＿ＣＣ＃１｝、及び
２．タイプ２：ｍｉｎ｛ＰＣＭＡＸ，Ｃ−ＰＵＣＣＨ電力−ＰＵＳＣＨ電力，ＰＨＲ＿ＰＡ−ＰＨＲ＿ＣＣ＃１｝
一部の実施形態においては、コンポーネントキャリアについての実際のＰＨ情報は、次の場合には、省略されることが可能である。第１の場合には、実際のＰＵＣＣＨ  ＰＨ情報は、対応するＰＵＣＣＨに関する送信が存在しない場合に、省略される。第２の場合には、実際のＰＵＳＣＨ  ＰＨ情報は、対応するＰＵＳＣＨに関する送信が存在しない場合に、省略されることが可能である。又は、アップリンクコンポーネントキャリアが非アクティブにされる場合、ＵＥにおいて１つの（アクティブにされた）アップリンクコンポーネントキャリアのみが存在する場合、同じＰＡに対してマッピングされたアップリンクコンポーネントキャリアのＰＨ値又はアップリンクコンポーネントキャリアのＰＨ値の合計がＰＡのＰＡ値に等しいかそれより大きい場合、コンポーネントキャリアのＰＨ値（の合計）がＵＥのＰＨ値に等しいかそれより大きい場合、及び／又は、シグナリングが提供されたネットワークがコンポーネントキャリアについての実際のＰＨ報告の無効（又は停止）を示す場合、実際のＰＨ情報は省略される。上記の場合の何れにおいても、実際のＰＨ情報の欠如を示すＭＡＣ  ＰＤＵに含まれるインジケータが用いられることが可能である。
【００４６】
他方、コンポーネントキャリアについての仮想ＰＨ情報（例えば、仮想ＰＨ参照フォーマット）は、次の場合に報告されることが可能である。第１の場合には、仮想ＰＵＣＣＨ  ＰＨ情報が、対応するＰＵＣＣＨに関する送信が存在しない場合に、報告される。第２の場合には、仮想ＰＵＳＣＨ  ＰＨ情報は、対応するＰＵＳＣＨに関する送信が存在しない場合に、報告されることが可能である。又は、アップリンクコンポーネントキャリアが非アクティブにされる場合、ＵＥにおいて１つの（アクティブにされた）アップリンクコンポーネントキャリアのみが存在する場合、同じＰＡに対してマッピングされたアップリンクコンポーネントキャリアのＰＨ値又はアップリンクコンポーネントキャリアのＰＨ値の合計がＰＡのＰＡ値に等しいかそれより大きい場合、コンポーネントキャリアのＰＨ値（の合計）がＵＥのＰＨ値に等しいかそれより大きい場合、及び／又は、シグナリングが提供されたネットワークがコンポーネントキャリアについての仮想ＰＨ報告の使用を示す場合、仮想ＰＨ情報が報告される。上記の場合の何れにおいても、インジケータ（例えば、ＭＡＣ  ＣＥの仮想フィールドにおけるビット）は、仮想ＰＨ情報が用いられることを示すＭＡＣ  ＰＤＵに含まれることが可能である。
【００４７】
他方、ＰＨ（ＰＡ）は次式により確立されることが可能である。
１．ＰＰＡ＿ＭＡＸ−このＰＡに対してマッピングされた（全ての）ＣＣの送信電力の合計
２．ＰＰＡ＿ＭＡＸ−このＰＡに対してマッピングされた（全ての）ＣＣの（ＭＰＲ＋ＡＭＰＲ＋送信電力）の合計
３．ＰＰＡ＿ＭＡＸ−（ＭＰＲ＋ＡＭＰＲ）−このＰＡに対してマッピングされた（全ての）ＣＣの（送信電力）の合計
ここで、ＰＰＡ＿ＭＡＸはＰＥＭＡＸ／（（用いる）ＰＡの数）又はＵＥ最大出力電力／（（用いる）ＰＡの数）であり、ＰＰＡ＿ＭＡＸは境界内に設定されることが可能である。例えば、ＰＰＡ＿ＭＡＸ＿Ｌ≦ＰＰＡ＿ＭＡＸ，Ｃ≦ＰＰＡ＿ＭＡＸ＿Ｈである。予測されたＰＨ（ＰＡ）は、ＵＥに記憶されている所定のテーブルにおける値に対応することが可能であり、ＵＥは、ＰＡのＰＨ情報を有するネットワークにこの値を報告することが可能である。ＰＨ値を知らせることに加えて、所定のテーブルの一部の値が他の目的で更に用いられることが可能である。
【００４８】
更に、一部の実施形態においては、このＰＡを用いて１つの（スケジューリングされた及び／又はアクティブにされた）アップリンクコンポーネントキャリアのみが存在する場合、ＵＥにおいて１つの（アクティブにされた）ＰＡのみが存在する場合、対応するアップリンクコンポーネントキャリアのＰＨ値の合計がＰＡのＰＨ値に等しい又はそれより小さい場合、ＰＡのＰＨ値がＵＥのＰＨ値に等しい又はそれより大きい場合、及び／又は、シグナリングが与えられたネットワークがＰＡの実際のＰＨ報告を無効（又は、停止）する、又はＰＡについての仮想ＰＨ情報の使用を示す場合、ＰＡについての実際のＰＨ情報は省略されることが可能である、又はＰＡについての仮想ＰＨ情報は報告されることが可能である。上記の状況の何れにおいても、インジケータ（例えば、ＭＡＣ  ＣＥの仮想フィールドにおけるビット、又はビットマップ）が、ＰＡの実際のＰＨ情報が欠如しているかどうか、又は仮想ＰＨ情報が用いられるかどうかを示すようにＭＡＣ  ＰＤＵに含まれることが可能である。
【００４９】
更に、ＰＨ（ＵＥ）は次式により確立されることが可能である。
１．ＰＵＥ＿ＭＡＸ−（全ての）コンポーネントキャリアの送信電力の合計
２．ＰＵＥ＿ＭＡＸ−（全ての）コンポーネントキャリアの（ＭＰＲ＋ＡＭＰＲ＋送信電力）の合計
３．ＰＵＥ＿ＭＡＸ−（ＭＰＲ＋ＡＭＰＲ）−（全ての）コンポーネントキャリアの（送信電力）の合計
ここで、ＰＵＥ＿ＭＡＸはＵＥ最大出力電力（例えば、ＵＥ電力クラス、Ｐｐｏｗｅｒｃｌａｓｓ）又はより高次のレイヤによりシグナリングされた最大許容ＵＥ出力電力（例えば、ＰＥＭＡＸ，Ｐ−ｍａｘ）であることが可能であり、境界内に、例えば、ＰＵＥ＿ＭＡＸ＿Ｌ≦ＰＵＥ＿ＭＡＸ，Ｃ≦ＰＵＥ＿ＭＡＸ＿Ｈに設定されることが可能である。
【００５０】
一部の実施形態においては、送信されるデータ（電力）が存在しない場合、ＵＥにおいて１つの（スケジューリングされた及び／又はアクティブにされた）ＣＣのみが存在する場合、ＵＥにおいて１つの（アクティブにされた）ＰＡのみが存在する場合、対応する（ＵＬ）ＣＣのＰＨ値の合計がＵＥのＰＨ値に等しいかそれより小さい場合、対応するＰＡのＰＨ値の合計がＵＥのＰＨ値に等しいかそれより小さい場合、シグナリングが提供されるネットワークが、ＵＥの実際のＰＨ報告を無効にする、又はＵＥの仮想ＰＨ報告の使用を示す場合、ＵＥについての実際のＰＨ情報は省略される、又はＵＥについての仮想ＰＨ情報は報告されることが可能である。所定の状況の何れにおいても、インジケータ（例えば、ＭＡＣ  ＣＥの仮想フィールドにおけるビット、又はビットマップ）が、ＵＥについての実際のＰＨ情報が欠如しているかどうか、又は仮想ＰＨ情報が用いられるかどうかを示すようにＭＡＣ  ＰＤＵに含まれることが可能である。
【００５１】
例示としての処理１６０のフローチャートを示す図１６を参照されたい。処理１６０は、ＰＨ報告について、複数のアップリンクコンポーネントキャリア又は並列のＰＵＣＣＨ及びＰＵＳＣＨ送信により構成されるＵＥにおいて用いられる。処理１６０は、プログラムコード２１４にコンパイルされることが可能であり、次のステップを有する。
ステップ１６００：開始
ステップ１６１０：ＰＨＲがトリガされるとき、少なくともアップリンクコンポーネントキャリアのためのＵＥに対して構成されたＰＡのパワーヘッドルーム制限及び／又はＵＥの電力制限により少なくともアップリンクコンポーネントキャリアに対してＰＨ情報を報告する
ステップ１６２０：終了
処理１６０に従って、ＵＥは、ＰＡのＰＨ制限の考慮によりアップリンクコンポーネントキャリアのＰＨ情報を報告する（例えば、ネットワークに対して減少された又は簡単化されたＰＨ報告を生成して送信する）。又は、ＵＥは、ネットワークに対してＰＡのＰＨ情報を報告しないことが可能である。従って、ネットワークは、各々のコンポーネントキャリアのＰＨ情報に従ってリソースをスケジューリングする。
【００５２】
処理１６０に基づく実施例を挙げる。第１実施形態に従ったＰＨ報告についての模式図である図１７を参照されたい。ＰＨ値ＰＨＲ＿ＣＣ＃１は５０ｍＷであり、ＰＨ値ＰＨＲ＿ＣＣ＃２は８０ｍＷであり、ＰＨ値ＰＨＲ＿ＰＡは１５０ｍＷであることを前提とする。この状況下では、対応するアップリンクコンポーネントキャリアのＰＨ値の合計は、対応するＰＡのＰＨ値より小さい。ＵＥは、ネットワークにＰＡのＰＨ情報を報告しないことが可能である。
【００５３】
更に、第２実施形態に従ったＰＨ報告についての模式図である図１８を参照されたい。ＰＨ値ＰＨＲ＿ＣＣ＃１は１００ｍＷであり、ＰＨ値ＰＨＲ＿ＣＣ＃２は１００ｍＷであり、ＰＨ値ＰＨＲ＿ＰＡは１５０ｍＷであることを前提とする。この状況下では、ＵＥは、ＰＨ値ＰＨＲ＿ＣＣ＃１は７５ｍＷであり、ＰＨ値ＰＨＲ＿ＶＣＣ＃２は７５ｍＷであることを報告することが可能である。従って、ネットワークは、ＰＡ電力制限を上回ることなく、コンポーネントキャリアＣＣ＃１及びＣＣ＃２についてのリソースをスケジューリングする。他方、ネットワーク及び／又はＵＥは、異なるコンポーネントキャリアは異なるリソース重み又は割合（例えば、図１８におけるＸ％及びＹ％）を有することを判定することが可能である。例えば、ネットワーク及び／又はＵＥは、コンポーネントキャリアＣＣ＃１についてのリソース重みは３／５であり、コンポーネントキャリアＣＣ＃２についてのリソース重みは２／５である。その場合、ＵＥは、ＰＨ値ＰＨＲ＿ＣＣ＃１が９０ｍＷ（即ち、１５０ｘ３／５＝９０ｍＷ）であること、及びＰＨ値ＰＨＲ＿ＣＣ＃２が６０ｍＷであることを、ネットワークに報告する。又は、ネットワーク及び／又はＵＥは、コンポーネントキャリアＣＣ＃１及びＣＣ＃２の優先度を更に考慮することが可能である。例えば、ネットワーク及び／又はＵＥは、図１９に示しているように、コンポーネントキャリアＣＣ＃１の優先度がコンポーネントキャリアＣＣ＃２より高いことを判定する。ＵＥは、ＰＨ値ＰＨＲ＿ＣＣ＃１が１００ｍＷであり、ＰＨ値ＰＨＲ＿ＣＣ＃２が５０ｍＷであることを、ネットワークに報告する。従って、ネットワークは、ＰＡ電力制限を上回ることなく各々のコンポーネントキャリアのために適切な電力リソースを割り当てることが可能である。
【００５４】
上記の図１７乃至１９の実施例はまた、ＰＡ  ＰＨＲのために適用されることに留意されたい。従って、ＵＥは、ＵＥ電力制限を上回るＰＡのＰＨ値の合計について報告しない。更に、ＵＥは、ネットワークに対してＰＨ情報を報告する必要はない。
【００５５】
例示としての処理２０００のフローチャートである図２０を参照されたい。処理２０００は、ＰＨ報告を処理するためにネットワーク（例えば、ｅＮＢ）において使用される。処理２０００は、プログラムコード２１４にコンパイルされることが可能であり、次のステップを有する。
ステップ２０１０：開始
ステップ２０２０：ＵＥに対して並列のＰＵＣＣＨ及びＰＵＳＣＨ送信又は複数のアップリンクコンポーネントキャリを構成する
ステップ２０３０：ＵＥから受信された、ＵＥに対して構成された少なくとも電力増幅器、ＵＥ、及び少なくともアップリンクコンポーネントキャリアの少なくとも一のＰＨ情報に従って、少なくともアップリンクコンポーネントキャリアに対して電力制御を実行するステップ２０４０：終了
処理２０００に従って、ネットワークは、アップリンクコンポーネントキャリア、ＰＡ及び／又はＵＥについてのＰＨ報告に基づいて、アップリンク送信電力を制御する及び／又はアップリンクリソース（例えば、リソースブロック（ＲＢ）割り当て、変調及び符号化スキーム（ＭＣＳ））を制御する。従って、コンポーネントキャリアに関して割り当てられた送信電力は、コンポーネントキャリア、対応するＰＡ及び／又はＵＥのＰＨ制限を上回らない。詳細説明については、上記のように参照することができ、故に、以下においては説明しない。
【００５６】
提案しているステップを有する処理の上記ステップは、ハードウェアと、ハードウェア装置、コンピュータ命令及びハードウェア装置における読み取り専用ソフトウェアとして備えられているデータの組み合わせとして知られているファームウェア、又は電子システムであることが可能である手段により実現されることが可能である。ハードウェアの例としては、マイクロ回路、マイクロチップ又はシリコンチップとして知られているアナログ回路、ディジタル回路又は複合回路を有することが可能である。電子システムの例には、ＳＯＣ（Ｓｙｓｔｅｍ  Ｏｎ  Ｃｈｉｐ）、Ｓｉｐ（Ｓｙｓｔｅｍ  ｉｎ  ｐａｃｋａｇｅ）、ＣＯＭ（Ｃｏｍｐｕｔｅｒ  Ｏｎ  Ｍｏｄｕｌｅ）及び通信装置２０がある。
【００５７】
最後に、本発明は、複数のアップリンクコンポーネントキャリアシステムにおいてＰＨＲを処理する方法及び装置を提供するものである。ＵＥは、ネットワークに対して、コンポーネントキャリアのＰＨ情報、ＰＡのＰＨ情報及びＵＥのＰＨ情報の少なくとも一を報告し、故に、ネットワークはＵＥに対して適切なリソースを割り当てることが可能である。
【００５８】
当業者は、本発明の教示を維持しつつ、装置及び方法について多くの変形及び修正を行うことができることを容易に理解することができる。従って、上記の詳述は、同時提出の特許請求の範囲の主旨及び範囲によってのみ制約されるとして解釈される必要がある。
【符号の説明】
【００５９】
１０  無線通信システム
２０  通信装置
２００  処理手段
２１０  記憶ユニット
２１４  プログラムコード
２２０  通信インタフェースユニット
３００  ＲＲＣレイヤ
３１０  ＰＤＣＰレイヤ
３２０  ＲＬＣレイヤ
３３０  ＭＡＣレイヤ
３４０  物理レイヤ
【図１】
2012080540.tif 000003
【図２】
2012080540.tif 000004
【図３】
2012080540.tif 000005
【図４】
2012080540.tif 000006
【図５】
2012080540.tif 000007
【図６】
2012080540.tif 000008
【図７】
2012080540.tif 000009
【図８】
2012080540.tif 000010
【図９】
2012080540.tif 000011
【図１０】
2012080540.tif 000012
【図１１】
2012080540.tif 000013
【図１２】
2012080540.tif 000014
【図１３】
2012080540.tif 000015
【図１４】
2012080540.tif 000016
【図１５】
2012080540.tif 000017
【図１６】
2012080540.tif 000018
【図１７】
2012080540.tif 000019
【図１８】
2012080540.tif 000020
【図１９】
2012080540.tif 000021
【図２０】
2012080540.tif 000022